(57)【要約】      （修正有）【課題】操作信号の適切な送信を可能としつつ、操作装置と洗浄便座装置との有線接続構成の複雑化を抑制した装置を提供する。【解決手段】複数の操作スイッチを備える洗浄便座装置の操作装置は、複数の操作スイッチ２３ａ〜ｉのうち一部の操作スイッチの操作信号を送信するための信号線２４，２８と、電力供給用の電源線２６とを含む有線により洗浄便座装置の本体制御部と接続され、複数の操作スイッチのうち一部を除いた残りの操作スイッチの操作信号を、電波を用いた無線通信により本体制御部に送信可能な送信部２５を備える。【選択図】図３
2019196617.tif 000002
【特許請求の範囲】
【請求項１】
複数の操作スイッチを備える洗浄便座装置の操作装置であって、
前記複数の操作スイッチのうち一部の操作スイッチの操作信号を送信するための信号線と、電力供給用の電源線とを含む有線により前記洗浄便座装置の本体制御部と接続され、
前記複数の操作スイッチのうち前記一部を除いた残りの操作スイッチの操作信号を、電波を用いた無線通信により前記本体制御部に送信可能な送信部を備える
洗浄便座装置の操作装置。
【請求項２】
請求項１に記載の洗浄便座装置の操作装置であって、
前記一部の操作スイッチは、種類の異なる前記洗浄便座装置が共通に有する機能を操作するための操作スイッチである
洗浄便座装置の操作装置。
【請求項３】
請求項１または２に記載の洗浄便座装置の操作装置であって、
前記一部の操作スイッチとして、前記洗浄便座装置の作動の停止を指示する操作スイッチを含む
洗浄便座装置の操作装置。
【請求項４】
請求項１ないし３のいずれか１項に記載の洗浄便座装置の操作装置であって、
前記送信部が前記無線通信により前記操作信号を送信する際に、混信防止用の信号を前記有線を介して前記本体制御部に送信する
洗浄便座装置の操作装置。
【請求項５】
請求項１ないし４のいずれか１項に記載の洗浄便座装置の操作装置であって、
各種情報を表示する表示部と、
前記本体制御部から電波を用いた無線通信により送信された表示制御用の信号を受信可能な受信部と、
前記受信部により受信された前記表示制御用の信号に基づいて前記表示部の表示を制御する表示制御部と、
を備える洗浄便座装置の操作装置。
【請求項６】
請求項１ないし５のいずれか１項に記載の洗浄便座装置の操作装置が本体側方の袖部に一体的に設けられる洗浄便座装置。
【発明の詳細な説明】
【技術分野】
【０００１】
本発明は、洗浄便座装置の操作装置および洗浄便座装置に関する。
【背景技術】
【０００２】
従来、この種の洗浄便座装置の操作装置としては、人体の局部の洗浄や局部への送風などの洗浄便座装置の各機能を操作するために、複数の操作スイッチを有するものが知られている。例えば、特許文献１には、洗浄便座装置の本体側方の袖部に操作装置が一体的に設けられ、袖部内に形成された通し穴を通した配線を介して操作装置と本体内の制御部とが有線接続されるものが記載されている。また、特許文献２には、洗浄便座装置が設置されるトイレブースの壁面に操作装置が設けられ、操作装置が洗浄便座装置の制御部に無線通信により操作信号を送信するものが記載されている。
【先行技術文献】
【特許文献】
【０００３】
【特許文献１】特許第５６４４３２３号公報
【特許文献２】特開２０１８−９３００号公報
【発明の概要】
【発明が解決しようとする課題】
【０００４】
ここで、洗浄便座装置では機種やグレードなどによって機能が異なる場合があり、その場合には操作装置が有する操作スイッチの数も異なるものとなる。特許文献１のように操作装置が有線接続されるものでは、操作スイッチの数によって配線の数が異なることになるから、袖部に形成される通し穴の数や大きさが異なったり、配線の接続ポートの数が異なったりする。このため、洗浄便座装置の機種やグレードなどに応じて、袖部の内部構成を異ならせたり異なる制御部を用意したりするなどの対応が必要となり、管理が煩雑となるだけでなくコストアップを招いてしまう。また、特許文献２のように無線通信が可能な操作装置では、そのような対応が必要となる可能性は低いものの、公衆トイレなど複数の洗浄便座装置が設けられる場所において、送信される信号が混信して洗浄便座装置が誤作動するなどの別の問題が生じることがある。
【０００５】
本発明は、操作信号の適切な送信を可能としつつ、操作装置と洗浄便座装置との有線接続構成が複雑化するのを抑制することを主目的とする。
【課題を解決するための手段】
【０００６】
本発明は、上述の主目的を達成するために以下の手段を採った。
【０００７】
本発明の洗浄便座装置の操作装置は、複数の操作スイッチを備える洗浄便座装置の操作装置であって、前記複数の操作スイッチのうち一部の操作スイッチの操作信号を送信するための信号線と、電力供給用の電源線とを含む有線により前記洗浄便座装置の本体制御部と接続され、前記複数の操作スイッチのうち前記一部を除いた残りの操作スイッチの操作信号を、電波を用いた無線通信により前記本体制御部に送信可能な送信部を備えることを要旨とする。
【０００８】
本発明の洗浄便座装置の操作装置では、複数の操作スイッチのうち一部の操作スイッチの操作信号を信号線を介した有線通信により送信し、残りの操作スイッチの操作信号を電波を用いた無線通信により送信する。このため、一部の操作信号については有線通信によって混信のおそれのない確実な送信が可能となり、残りの操作信号を無線通信することで全てを有線通信するものに比して信号線の数を抑えることができる。また、操作装置は電源線を介して電力が供給されるから、電源に電池を用いるもののように残量低下によって無線通信できなくなるのを防止することができる。また、無線通信に電波を用いるから、赤外線を用いるものなどに比して障害物の影響を受けにくく、操作信号を適切に送信することができる。これらの結果、無線通信と有線通信との組み合わせにより、操作信号の適切な送信を可能としつつ有線接続構成が複雑化するのを抑制することができる。
【０００９】
本発明の洗浄便座装置の操作装置において、前記一部の操作スイッチは、種類の異なる前記洗浄便座装置が共通に有する機能を操作するための操作スイッチであるものとしてもよい。こうすれば、種類の異なる洗浄便座装置に用いられる操作装置において、有線接続する信号線の共通化を図って有線接続構成を共通化することができる。
【００１０】
本発明の洗浄便座装置の操作装置において、前記一部の操作スイッチとして、前記洗浄便座装置の作動の停止を指示する操作スイッチを含むものとしてもよい。こうすれば、何らかの原因で無線通信による操作ができなくなった場合でも、洗浄便座装置の作動を確実に停止させることができる。
【００１１】
本発明の洗浄便座装置の操作装置において、前記送信部が前記無線通信により前記操作信号を送信する際に、混信防止用の信号を前記有線を介して前記本体制御部に送信するものとしてもよい。こうすれば、洗浄便座装置の本体制御部は、混信防止用の信号の受信の有無に基づいて、対応する操作装置から無線通信により送信された操作信号か否かを確認することができる。このため、無線通信による操作信号が混信することによって洗浄便座装置が誤作動するのを防止することが可能となる。
【００１２】
本発明の洗浄便座装置の操作装置において、各種情報を表示する表示部と、前記本体制御部から電波を用いた無線通信により送信された表示制御用の信号を受信可能な受信部と、前記受信部により受信された前記表示制御用の信号に基づいて前記表示部の表示を制御する表示制御部と、を備えるものとしてもよい。こうすれば、洗浄便座装置と操作装置との双方向通信が可能となり、操作装置の表示部を介して使用者に各種情報を報知することができる。また、表示制御用の信号のやり取りを無線通信で行うから、有線接続構成が複雑化するのを抑制することができる。
【００１３】
本発明の洗浄便座装置は、上述したいずれかの操作装置が本体側方の袖部に一体的に設けられるものとしてもよい。この洗浄便座装置は、上述した操作装置と同様の効果、即ち無線通信と有線通信との組み合わせにより、操作信号の適切な送信を可能としつつ有線接続構成が複雑化するのを抑制する効果を奏するものとなる。
【図面の簡単な説明】
【００１４】
【図１】操作装置２０を備える洗浄便座装置１０の外観を示す外観斜視図である。
【図２】操作装置２０の外観図である。
【図３】操作装置２０と便座装置本体１１の電気的な接続関係を示す説明図である。
【図４】便座装置本体１１と操作装置２０の通信の一例を示すシーケンス図である。
【図５】別例の操作装置１２０の外観図である。
【図６】別例の操作装置１２０と便座装置本体１１の電気的な接続関係を示す説明図である。
【図７】変形例の操作装置２２０の外観図である。
【図８】変形例の操作装置２２０と便座装置本体１１の電気的な接続関係を示す説明図である。
【発明を実施するための形態】
【００１５】
本発明を実施するための形態について説明する。
【００１６】
図１は操作装置２０を備える洗浄便座装置１０の外観を示す外観斜視図であり、図２は操作装置２０の外観図であり、図３は操作装置２０と便座装置本体１１の電気的な接続関係を示す説明図である。便器１は、洋式便器であり、便器１の上面に洗浄便座装置１０が設置されている。洗浄便座装置１０は、図１に示すように、便器１の後方に設置される便座装置本体１１と、便座装置本体１１に回動自在に支持された便座１７と、便座装置本体１１に回動自在に支持された便蓋１８と、便座装置本体１１に進退可能に配設された局部洗浄用のノズルなどを有するノズルユニット１９と、洗浄便座装置１０を操作するための操作装置２０とを備える。なお、ノズルユニット１９は、給水管からの水をヒータによって加熱する熱交換ユニットや洗浄水の強さを調整する脈動ポンプ、洗浄水の流路を切り替える切替バルブ、ノズルを進退移動させる移動装置などを備える。
【００１７】
洗浄便座装置１０が有する各種機能としては、ノズルユニット１９のノズルから使用者の局部に洗浄水を噴射する洗浄機能（おしり洗浄機能とビデ洗浄機能）や洗浄後の局部に送風する乾燥機能、便器１内などの臭気を除去する脱臭機能などが挙げられる。また、洗浄便座装置１０の機能に関する設定項目としては、噴射する洗浄水の洗浄強さの強弱の設定や洗浄位置の前後の設定などが挙げられる。
【００１８】
操作装置２０は、便座装置本体１１の側方の袖部に一体的に設けられた略直方体状の筐体２１と、筐体２１内に収容された操作基板２２と、筐体２１の上面側から押圧操作が可能な複数の操作スイッチ２３とを備える。操作装置２０は、複数の操作スイッチ２３として、例えば、各種作動の停止を指示する止スイッチ２３ａと、おしり洗浄の開始を指示するおしり洗浄スイッチ２３ｂと、ビデ洗浄の開始を指示するビデ洗浄スイッチ２３ｃと、乾燥開始を指示する乾燥スイッチ２３ｄと、洗浄強さを弱める弱スイッチ２３ｅおよび洗浄強さを強める強スイッチ２３ｆと、洗浄位置を前方に変更する前スイッチ２３ｇおよび後方に変更する後スイッチ２３ｈと、脱臭開始を指示する脱臭スイッチ２３ｉとを備える。また、弱スイッチ２３ｅおよび強スイッチ２３ｆの間には、洗浄強さの設定状態を示す表示ランプが設けられ、前スイッチ２３ｇおよび後スイッチ２３ｈの間には、洗浄位置の設定状態を示す表示ランプが設けられている。
【００１９】
また、操作装置２０の操作基板２２は、第１信号線２４と電源線２６とを含む有線を介して便座装置本体１１内の制御基板１３に接続されている。第１信号線２４は、複数の操作スイッチ２３のうち止スイッチ２３ａの操作信号を制御基板１３に送信するためのものであり、電源線２６は、操作装置２０の作動に必要な電力を供給するためのものである。また、操作装置２０は、止スイッチ２３ａ以外の他のスイッチ２３ｂ〜２３ｉにそれぞれ接続される複数の送信部２５と、他のスイッチ２３ｂ〜２３ｉからの操作信号を入力しその論理和を出力するＯＲ回路２７とを備えており、制御基板１３に接続される有線としてＯＲ回路２７の出力信号を送信するための第２信号線２８を含む。操作装置２０の筐体２１には、配線通し穴２１ａが形成されており、第１信号線２４と電源線２６と第２信号線２８は、この配線通し穴２１ａを通って制御基板１３に接続されている。なお、これらの配線が一まとめに束ねられたフレキシブルフラットケーブルなどを用いてもよい。送信部２５は、他のスイッチ２３ｂ〜２３ｉの操作信号をそれぞれ送信するために、他のスイッチ２３ｂ〜２３ｉの個々に対応して計８個設けられている。各送信部２５は、例えば、所定の識別情報を記憶するメモリと、マイクロストリップアンテナなどとして構成され９００ＭＨｚ帯や２．４５ＧＨｚ帯等の所定周波数の電波信号を送信するアンテナと、対応するスイッチ２３ｂ〜２３ｉの操作に基づいて所定の識別情報を含む電波信号をアンテナから送信する送信回路などから構成されている。ＯＲ回路２７は、他のスイッチ２３ｂ〜２３ｉからの操作信号を入力し、少なくともいずれか１つが操作された状態（オン状態）のときにオン信号を出力し、いずれも操作されていない状態（オフ状態）のときに、オフ信号を出力する。ＯＲ回路２７のオン信号は、後述するように、洗浄便座装置１０が備える操作装置２０からの無線送信であることを識別するための識別信号として用いられる。
【００２０】
便座装置本体１１は、洗浄便座装置１０を制御するためのＣＰＵやメモリ等を備えた制御基板１３と、交流電源からの交流電力をノズルユニット１９の各部の作動に必要な電圧の直流電力に変換したり制御基板１３などの作動に必要な直流電力に変換したりする電源回路１４と、操作装置２０の各送信部２５と同様に所定周波数の電波信号を送信したり受信したりする送受信部１５とを備える。制御基板１３には、操作装置２０の止スイッチ２３ａからの操作信号が第１信号線２４を介した有線通信により入力されたり、止スイッチ２３ａ以外の他のスイッチ２３ｂ〜２３ｉからの操作信号が電波信号として各送信部２５と送受信部１５とを介した無線通信により入力されたり、ＯＲ回路２７からの出力信号が第２信号線２８を介した有線通信により入力されたりする。その他に、制御基板１３には、便座１７への使用者の着座を検知する着座センサ１６（図１参照）からの検知信号や、ノズルユニット１９の熱交換ユニットに設けられた温度センサからの検知信号などが入力される。また、制御基板１３は、操作装置２０から入力された各信号や着座センサ１６からの検知信号、温度センサからの検知信号などに基づいて、ノズルユニット１９のヒータや脈動ポンプ、切替バルブ、移動装置などを制御する。
【００２１】
次に、こうして構成された洗浄便座装置１０の動作、特に、便座装置本体１１と操作装置２０の通信について説明する。図４は便座装置本体１１と操作装置２０の通信の一例を示すシーケンス図である。便座装置本体１１の制御基板１３は、まず、着座センサ１６からの検知信号に基づいて便座１７への使用者の着座を検知するのを待つ（Ｓ１００）。そして、着座を検知したと判定すると、所定の洗浄準備動作を行う（Ｓ１１０）。例えば、制御基板１３は、洗浄水が設定温度となるようにノズルユニット１９の熱交換ユニット（ヒータ）を作動させながら洗浄水の流路に滞留していた洗浄水を排出するなどにより、洗浄準備動作を行う。
【００２２】
一方、操作装置２０では、例えば使用者によりおしりスイッチ２３ｂの操作が受け付けられると（Ｓ２００）、おしりスイッチ２３ｂに対応する送信部２５からおしりスイッチ操作信号が無線通信により送信され（Ｓ２１０）、おしりスイッチ２３ｂの操作に伴ってＯＲ回路２７から出力される識別信号（オン信号）が第２信号線２８を介した有線通信により送信される（Ｓ２２０）。なお、図４では、無線通信を点線で示し、有線通信を実線で示す。便座装置本体１１では、送受信部１５を介して制御基板１３がおしりスイッチ操作信号を受信すると、おしりスイッチ操作信号と共に識別信号を受信したことに基づいて、おしり洗浄を開始する（Ｓ１２０）。なお、ここではおしりスイッチ２３ｂの操作を例示したが、ビデスイッチ２３ｃや乾燥スイッチ２３ｄ、脱臭スイッチ２３ｉなどの他の作動系の操作スイッチについても同様である。
【００２３】
また、操作装置２０では、使用者により弱スイッチ２３ｅの操作が受け付けられると（Ｓ２３０）、弱スイッチ２３ｅに対応する送信部２５から弱スイッチ操作信号が無線通信により送信され（Ｓ２４０）、ＯＲ回路２７から出力される識別信号が第２信号線２８を介した有線通信により送信される（Ｓ２５０）。便座装置本体１１では、送受信部１５を介して制御基板１３が弱スイッチ操作信号を受信すると、弱スイッチ操作信号と共に識別信号を受信したことに基づいて、洗浄力の設定を一段階弱めに変更する（Ｓ１３０）。なお、ここでは弱スイッチ２３ｅの操作を例示したが、強スイッチ２３ｆや前スイッチ２３ｇ、後スイッチ２３ｈなどの他の設定系の操作スイッチについても同様である。
【００２４】
このように、便座装置本体１１の制御基板１３は、無線通信により送信された操作信号（Ｓ２１０やＳ２４０）を受信した場合、それに合わせて有線通信により送信された識別信号（Ｓ２２０やＳ２５０）を受信したことを条件として、受信した操作信号に対する動作や設定を行うのである。このため、異なる洗浄便座装置１０の操作装置２０から無線送信された操作信号を受信したことに基づいて、便座装置本体１１が誤作動するのを防止することができるから、識別信号は混信防止用の信号として機能するものといえる。例えば図４では、異なる洗浄便座装置１０の操作装置２０の前スイッチ２３ｇが操作されて、その操作に伴って送信された前スイッチ操作信号を制御基板１３が受信しているが（Ｓ３００）、識別信号を受信していないから、Ｓ３００の前スイッチ操作信号に基づいて作動することはなく、誤作動を防止することができる。
【００２５】
そして、操作装置２０では、使用者により止スイッチ２３ａの操作が受け付けられると（Ｓ２６０）、第１信号線２４を介した有線通信により止スイッチ操作信号が送信される（Ｓ２７０）。便座装置本体１１では、制御基板１３が止スイッチ操作信号を受信すると、おしり洗浄を終了する（Ｓ１４０）。なお、制御基板１３は、止スイッチ操作信号を第１信号線２４を介した有線通信により受信しており、混信のおそれはないから、止スイッチ操作信号を受信するとそのまま実行中の作動を終了する。
【００２６】
ここで、図５は別例の操作装置１２０の外観図であり、図６は別例の操作装置１２０と便座装置本体１１の電気的な接続関係を示す説明図である。別例の洗浄便座装置１０は、乾燥機能や脱臭機能を有さず簡素な仕様となっている。このため、図示するように、別例の操作装置１２０は、操作装置２０と異なり乾燥スイッチ２３ｄと脱臭スイッチ２３ｉを備えないが、それ以外は操作装置２０と同様に構成されている。即ち、操作装置１２０は、止スイッチ２３ａへの操作信号を第１信号線２４を介した有線通信により制御基板１３に送信し、止スイッチ２３ａ以外の他のスイッチ２３ｂ，２３ｃ，２３ｅ〜２３ｈへの操作信号を対応する各送信部２５の無線通信により電波信号として制御基板１３に送信する。また、止スイッチ２３ａ以外の他のスイッチ２３ｂ，２３ｃ，２３ｅ〜２３ｈがＯＲ回路２７に接続されており、他のスイッチ２３ｂ，２３ｃ，２３ｅ〜２３ｈのいずれかが操作されると第２信号線２８を介して混信防止用の識別信号を制御基板１３に送信する。また、操作装置１２０は、操作基板２２が電源線２６を介して制御基板１３に接続されている。このように、操作装置２０，１２０では、洗浄便座装置１０の機能（仕様）の違いによって増減される操作スイッチ２３がいずれも無線通信により操作信号を送信するものであるから、送信部２５の数が異なる以外は共通の構成とすることができる。即ち、操作スイッチ２３の数は異なるものの、有線接続される操作スイッチ（ここでは止スイッチ２３ａ）が共通であり配線の数は共通している。このため、配線通し穴２１ａを同じ形状およびサイズで形成すればよいため筐体２１の構成を変える必要がなく、また、制御基板１３や操作基板２２の接続ポートの構成も変える必要がないなど、有線接続構成を共通化することができる。
【００２７】
以上説明した洗浄便座装置１０では、操作装置２０が複数の操作スイッチ２３のうち一部については第１信号線２４を介した有線通信により混信などのおそれのない確実な送信を可能とする。また、残りについては送信部２５を介した無線通信により、全てを有線通信するものに比して信号線の数を抑えて有線接続構成が複雑化するのを抑制することができる。また、操作装置２０は電源線２６により電力供給されるから、電源に電池を用いるもののように残量低下によって無線送信ができなくなる事態が生じるのを防止することができる。また、無線通信に電波を用いるから、赤外線を用いるものなどに比して障害物の影響を受けにくく、操作信号を適切に送信することができる。したがって、便座装置本体１１の側方の袖部に操作装置２０が一体的に設けられるものにおいて、無線通信と有線通信との組み合わせにより、操作信号の適切な送信を可能としつつ有線接続構成が複雑化するのを防止することができる。
【００２８】
また、種類の異なる洗浄便座装置１０であっても共通に有する機能の操作スイッチ２３を有線接続することで、種類の異なる洗浄便座装置１０に用いられる操作装置２０，１２０と制御基板１３との有線接続構成の共通化を図ることが可能となる。
【００２９】
また、洗浄便座装置１０の作動の停止を指示する止スイッチ２３ａを有線接続するから、何らかの原因で無線通信できなくなった場合でも、洗浄便座装置１０の作動を確実に停止させることができる。このため、操作装置２０による操作が不能となって洗浄便座装置１０が作動し続ける事態が生じるのを防止することができる。
【００３０】
また、操作装置２０は、無線通信する際に、混信防止用の識別信号を第２信号線２８を介して洗浄便座装置１０に送信するから、無線通信による操作信号が混信することにより洗浄便座装置１０が誤作動するのを防止することが可能となる。また、混信を防止するために、便座装置本体１１（制御基板１３）毎に操作装置２０（操作基板２２）との対応付け（ペアリング）などを行う必要がないものとすることができる。
【００３１】
また、有線接続される操作スイッチ２３よりも無線接続される操作スイッチ２３の数が多いものとしたから、有線接続するための信号線の数が増えるのを抑制して有線接続構成を簡素化することができる。
【００３２】
上述した実施形態では、有線接続する操作スイッチ２３として止スイッチ２３ａを例示したが、これに限られず、異なる種類の洗浄便座装置１０が共通に有する機能を操作する操作スイッチ２３であってもよい。例えば、おしり洗浄スイッチ２３ｂやビデ洗浄スイッチ２３ｃなどの洗浄機能を操作するための操作スイッチが有線接続されるものとしてもよい。また、このような洗浄機能を有する場合、多くは前後の調整機能や洗浄力の調整機能を有するから、それらの弱スイッチ２３ｅや強スイッチ２３ｆを有線接続したり、前スイッチ２３ｇや後スイッチ２３ｈを有線接続したりしてもよい。
【００３３】
上述した実施形態では、混信防止用の識別信号を送信するための専用の第２信号線２８が設けられるものとしたが、これに限られず、混信防止用の識別信号の送信に他の配線を兼用するものなどとしてもよい。あるいは、識別信号を送信するものに限られず、送信しないように構成してもよい。そのようにする場合、便座装置本体１１と操作装置２０とをペアリングするものなどとすればよい。
【００３４】
上述した実施形態では、止スイッチ２３ａ以外の他の操作スイッチ２３のそれぞれに対応する複数の送信部２５を備えるものとしたが、これに限られず、他の操作スイッチ２３が操作された際に、操作された操作スイッチ２３に対応する操作信号を送信可能な１の送信部を備えてもよいし、送信だけでなく受信も可能な送受信部を備えてもよい。
【００３５】
上述した実施形態では、操作装置２０から洗浄便座装置１０の制御基板１３への一方向の通信を例示したが、これに限られず、双方向の通信を行うものとしてもよい。図７は変形例の操作装置２２０の外観図であり、図８は変形例の操作装置２２０と便座装置本体１１の電気的な接続関係を示す説明図である。図示するように、変形例の操作装置２２０は、各種情報を表示する表示パネル１３０と、表示パネル１３０の表示制御を行う表示制御部１３２と、制御基板１３の送受信部１５からの電波信号を受信可能な受信部１３４とを備える。このため、変形例の操作装置２２０は、洗浄便座装置１０の制御基板１３から送信された情報を表示パネル１３０に表示して使用者に報知することができる。表示される情報としては、例えば、洗浄便座装置１０が所定の洗浄準備動作中である旨の情報や洗浄準備動作が完了した旨の情報、洗浄水の温度や洗浄水の洗浄強さの設定情報など、洗浄便座装置１０の作動状態に関する情報とすることができる。あるいは、使用者が同日に洗浄便座装置１０を使用した回数や前回使用時からの時間間隔、使用頻度など、使用者の洗浄便座装置１０の使用状況に関する情報などとすることができる。このように、洗浄便座装置１０と操作装置２２０との双方向通信を可能とすることで、操作装置２２０の表示パネル１３０を介して使用者に各種情報を報知することができる。また、表示制御用の信号のやり取りを無線通信で行うから、表示パネル１３０に情報を表示するために信号線を接続する必要がなく、操作装置２２０の有線接続構成が複雑化するのを抑制することができる。また、表示装置１３０の有無に拘わらず、操作装置２２０の筐体２１の構成や制御基板１３との接続構成を操作装置２０，１２０と共通化することができる。
【００３６】
また、図８に示すように、洗浄便座装置１０の制御基板１３とスマートフォンＳなどの情報端末とが双方向通信を行うように構成してもよい。このようにすれば、洗浄便座装置１０の作動状態に関する情報や洗浄便座装置１０の使用状況に関する情報をスマートフォンＳなどに表示したり、スマートフォンＳなどに記憶させたりすることができる。なお、操作装置２２０の操作基板２２とスマートフォンＳなどの情報端末とが双方向通信を行うように構成するものとしてもよい。
【００３７】
実施形態では、操作装置２０が便座装置本体１１の側方の袖部に一体的に設けられるものとしたが、これに限られず、洗浄便座装置１０が設置されるトイレブースの壁面などに設けられるものとしてもよい。
【００３８】
本実施形態の主要な要素と課題を解決するための手段の欄に記載した発明の主要な要素との対応関係について説明する。本実施形態では、洗浄便座装置１０が「洗浄便座装置」に相当し、複数の操作スイッチ２３が「複数の操作スイッチ」に相当し、止スイッチ２３ａが「一部の操作スイッチ」に相当し、第１信号線２４が「信号線」に相当し、電源線２６が「電源線」に相当し、制御基板１３が「本体制御部」に相当し、送信部２５が「送信部」に相当する。また、表示パネル１３０が「表示部」に相当し、受信部１３４が「受信部」に相当し、表示制御部１３２が「表示制御部」に相当する。
【００３９】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００４０】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４１】
本発明は、洗浄便座装置の製造産業などに利用可能である。
【符号の説明】
【００４２】
１  便器、１０  洗浄便座装置、１１  便座装置本体、１３  制御基板、１４  電源回路、１５  送受信部、１６  着座センサ、１７  便座、１８  便蓋、１９  ノズルユニット、２０，１２０，２２０  操作装置、２１  筐体、２１ａ  配線通し穴、２２  操作基板、２３  操作スイッチ、２３ａ  止スイッチ、２３ｂ  おしり洗浄スイッチ、２３ｃ  ビデ洗浄スイッチ、２３ｄ  乾燥スイッチ、２３ｅ  弱スイッチ、２３ｆ  強スイッチ、２３ｇ  前スイッチ、２３ｈ  後スイッチ、２３ｉ  脱臭スイッチ、２４  第１信号線、２５  送信部、２６  電源線、２７  ＯＲ回路、２８  第２信号線、１３０  表示パネル、１３２  表示制御部、１３４  受信部、Ｓ  スマートフォン。
【図１】
2019196617.tif 000003
【図２】
2019196617.tif 000004
【図３】
2019196617.tif 000005
【図４】
2019196617.tif 000006
【図５】
2019196617.tif 000007
【図６】
2019196617.tif 000008
【図７】
2019196617.tif 000009
【図８】
2019196617.tif 000010